(57)【要約】【課題】マスク使用の際に開封した袋やケースなどを捨てたり、或いは散逸してしまい、マスク使用後、カバンやポケットの中などで保管する際に、人間の口や鼻に触れる部分にゴミやホコリ、雑菌、花粉などのアレルキー物質などが付着したり、薬剤入りフィルターが長時間空気暴露したり、或いはマスクが変形する結果、使用者が感染したり、アレルギーを発症したり、マスクやフィルターの寿命が短くなったりすることを防止することを目的とした、マスクを提供する。【解決手段】マスク体、フィルター、固定具をケースと一体化する。【選択図】  図１
2005000613.tif 000002
【特許請求の範囲】
【請求項１】
受け部及び該受け部に対して開閉自在な蓋部の両者の一部を連結することにより展開可能に形成されるケースと、該ケースに取り付けられて、前記ケースを使用者の頭部に固定する固定具と、前記ケースの内部に一体的に取り付けられているマスク体及び／又はフィルターとで構成されており、前記受け部及び／又は前記蓋部には、前記ケースの内外を連通する通気孔が形成されていることを特徴とするマスク。
【請求項２】
前記ケースの外側に、前記通気孔を覆う開閉自在なカバーを備えることにより、前記ケースが内外の連通を閉止できることを特徴とする請求項１に記載のマスク。
【請求項３】
前記カバーの開閉角度が調節可能であることを特徴とする請求項１又は２に記載のマスク。
【請求項４】
前記マスク体及び／又はフィルターが交換可能であることを特徴とする請求項１乃至３のいずれかに記載のマスク。
【請求項５】
前記ケースに排気弁を備えることを特徴とする請求項１乃至４のいずれかに記載のマスク。
【請求項６】
前記ケース内部に、薬剤及び／又はマイナスイオン発生物質を収納する装具を備えることを特徴とする請求項１乃至５のいずれかに記載のマスク。
【請求項７】
前記マスク体及び／又はフィルターに、薬剤及び／又はマイナスイオン発生物質が浸潤又は付加されていることを特徴とする請求項１乃至６のいずれかに記載のマスク。
【発明の詳細な説明】
【０００１】
【発明の属する分野】
本発明は携帯用のマスクに関する。
【０００２】
【従来の技術】
従来のマスクは使用時に袋やケースなどから取り出して使用する。マスクを使用後、保管する際には袋やケースなどに収納するか、そのまま保管する。
【０００３】
マスクのフィルター面が人体の前面に露出している場合が多い。
【０００４】
【発明が解決しようとする課題】
これは次のような欠点があった。
マスクを使用中、袋やケースなどを必要としない為、それらが散逸したり、或いは捨てられることにより、マスクを使用後、袋やケースなどに入れない状態で保存することが多くなった。その結果、カバンやポケットの中で人間の口や鼻が触れる部分にゴミやホコリ、雑菌、花粉などのアレルギー物質などが付着し、或いはマスクが変形する結果、使用者が感染したり、アレルギーを発症する原因となったり、マスクの寿命を短くしたりする原因となった。
【０００５】
同様に、薬剤を使用するフィルターの場合、保管中にも薬剤が多量の空気に曝されるため、薬効機能の低減を早める原因となった。
【０００６】
長時間マスクを使用することによる苦痛を和らげる積極的手段が無かった。
【０００７】
ＳＡＲＳなどの正面方向からの飛沫による感染経路が問題視される病原菌などが直接フィルターに付着する可能性が高かった。
【０００８】
【課題を解決するための手段】
請求項１の発明は、受け部（１ａ）及び受け部（１ａ）に対して開閉自在な蓋部（１ｂ）の両者の一部を連結することにより展開可能に形成されるケース（１）と、ケース（１）に取り付けられて、ケース（１）を使用者の頭部に固定する固定具（４）と、ケース（１）の内部に一体的に取り付けられているマスク体（２）及び／又はフィルター（３）とで構成されており、受け部（１ａ）及び／又は蓋部（１ｂ）には、ケース（１）の内外を連通する通気孔（１ｆ）が形成され、固定具（４）にてケース（１）を使用者の頭部に固定することにより、マスク体（２）及び／又はフィルター（３）にて、使用者の口鼻を覆うことを特徴とするマスクを提供する。
【０００９】
請求項１の発明によれば、マスクの使用中もケースが一体としてマスクを構成している為、ケースが散逸することがなく、また、保管時のマスクの変形を防ぐことができるため、マスクの寿命を延ばす効果を奏する。
【００１０】
請求項２の発明は、受け部（１ａ）及び／又は蓋部（１ｂ）の外側に、前記通気孔（１ｆ）を覆う開閉自在なカバー（１ｃ）を備えることにより、ケース（１）が内外の連通を閉止できることを特徴とする、請求項１に記載のマスクを提供する。
【００１１】
請求項２の発明によれば、請求項１の発明の効果に加えて、保管時にケースを密閉できる為、カバンやポケットの中で人間の口や鼻が触れる部分にゴミやホコリ、雑菌、花粉などのアレルギー物質などが付することを防ぐ効果を奏する。また、薬剤を付加したフィルターや、ケース内に付加した薬効成分などが、大量の空気に暴露されることを防ぎ、かつ、ケース内の薬効成分濃度が高くなるため、薬効成分がマスク体及び／又はフィルターに浸透することを促進する効果を奏する。
【００１２】
請求項３の発明は、カバー開閉角度調整爪（１ｄ）を備えることにより、カバー（１ｃ）の開閉角度が調節可能であることを特徴とする、請求項１又は２に記載のマスクを提供する。
【００１３】
請求項３の発明によれば、請求項１の発明の効果に加えて、カバー（１ｃ）がフィルター（３）の前面を必要最低限度の隙間を残しながら覆うように開閉角度を調節することで、使用者の正面方向から飛沫する病原菌などがフィルター面に直接付着する機会を低減する効果を奏する。
【００１４】
請求項４の発明は、マスク体（２）及び／又はフィルター（３）の交換が可能であることを特徴とする、請求項１乃至３に記載のマスクを提供する。
【００１５】
請求項４の発明によれば、請求項１の発明の効果に加えて、長期間に及ぶ繰り返し使用を可能とする効果を奏する。
【００１６】
請求項５の発明は、ケース（１）の内外を連通する排気弁（５）を備えることを特徴とする、請求項１乃至４に記載のマスクを提供する。
【００１７】
請求項５の発明によれば、請求項１の発明の効果に加えて、高性能フィルターを使用した際の、使用者の呼気負荷を低減する効果を奏する。また、炭酸ガス吸収フィルターを使用した際に、人間の呼気によるフィルターの薬効機能の低減を遅延する効果を奏する。
【００１８】
請求項６の発明は、ケース（１）の内部に芳香剤、脱臭剤、ハーブなどの薬剤、及び／又はマイナスイオン発生物質を収納する薬剤収納用装具（６）を備えることを特徴とする、請求項１乃至５に記載のマスクを提供し、請求項７の発明は、マスク体（２）及び／又はフィルター（３）に芳香剤、脱臭剤、ハーブなどの薬剤、及び／又はマイナスイオン発生物質が浸潤又は付加されていることを特徴とする、請求項１乃至６に記載のマスクを提供する。
【００１９】
請求項６、請求項７の発明によれば、請求項１の発明の効果に加えて、芳香剤などの薬剤やマイナスイオンを使用することにより、長時間着用による精神的な苦痛を低減する効果を奏する。また、脱臭剤を使用することにより、長期間使用や口臭により発生する悪臭による不快感を低減する効果を奏する。
【００２０】
本発明は、以上の構成よりなるマスクである。
【００２１】
【発明の実施の形態】
以下、本発明の実施の形態について添付図面を参照しつつ説明する。
【００２２】
図１は本発明を使用する為にケースを展開した状態を示す図である。図２は本発明のケースを閉じた状態を示す図である。図３は本発明を使用するために、人体に着用した状態を示す図である。
【００２３】
本発明にかかるマスクには、図１に示されるように、通気孔（１ｆ）が形成された受け部（１ａ）、蓋部（１ｂ）及びカバー（１ｃ）の一部をヒンジ連結することにより展開可能に形成されるケース（１）と、ケース（１）に取り付けられて、ケース（１）を使用者の頭部に固定する固定具（４）と、ケース（１）内部に一体的に備えられ、内面側を覆うように取り付けられているマスク体（２）及びフィルター（３）とで構成されている。また、カバー（１ｃ）の開閉角度を調節できるように、カバー開閉角度調節爪（１ｄ）が備えられている。
【００２４】
図２（ａ）に示されるように、本発明にかかるマスクを使用しない際に、受け部（１ａ）及び、蓋部（１ｂ）及び、カバー（１ｃ）を閉じることで、マスク体（２）、フィルター（３）、固定具（４）をすべて、ケース（１）の内部に収納することができる。その際、マスク体（２）の通気経路側を汚染しないように、固定具（４）はケース（１）とマスク体（２）の接合部分の隙間（１ｇ）に収納することが望ましい。
【００２５】
図２（ｂ）に示されるように、ケース（１）内部の汚染を低減する為に、固定具（４）はケース（１）の外周に沿うように巻きつけても良い。
【００２６】
図２（ｃ）に示されるように、マスク体（２）の内部汚染を低減する為に、固定具（４）は受け部（１ａ）とカバー（１ｃ）の間に収納しても良い。
【００２７】
本発明にかかるマスクは、ケース（１）が図２に示されるように、相互に受け部（１ａ）と、蓋部（１ｂ）及びカバー（１ｃ）が嵌合して閉鎖されるようにするほか、チャック又はマジックテープなどで閉鎖されるようにしても良い。
【００２８】
固定具（４）は、ケース（１）を頭部に固定させることができるように、頭部に巻き掛けるヒモ又はバンドなどの素材や頭部に貼付可能な粘着性のある素材を使用するほか、ケース（１）の一部を固定具として成形しても良い。
【００２９】
図３に示されるように、本発明にかかるマスクを使用すると、空気はフィルター（３）からマスク体（２）を通過して、人体に吸気される。この際に、空気中の汚染物質はフィルター（３）にて取り除かれる。呼気はこの逆の経路をたどる。
【００３０】
図１及び図３（ａ）では、受け部（１ａ）に対してのみに通気孔が設けられているが、図３（ｂ）に示すように、蓋部（１ｂ）にも通気孔を設けても良い。
【００３１】
図４に示される排気弁（５）を付加した場合、呼気の一部は排気弁（５）を通じてケース（１）の外部へ排出される。排気弁（５）はマスク体（２）を貫通してケース（１）の外部に連通する排気孔（５ａ）と、弁（５ｂ）、および弁の動作する方向を排気方向だけに限定するための蓋（５ｃ）によって構成される。
【００３２】
図５乃至図６は、本発明にかかるマスクにおけるフィルター（３）の取り付け実施の形態について示したものである。
【００３３】
〔第１のフィルター取付実施形態〕
図５（ａ）に示すように、受け部（１ａ）に設けられた、フィルター取り付け用受け具（１ｅ）に取り付けることで、図５（ｂ）のようにフィルター（３）を固定する。
【００３４】
〔第２のフィルター取付実施形態〕
図６に示すように、受け部（１ａ）を複数枚の板状部材（１ｈ）を重ねることにより形成し、フィルター（３）を板状部材（１ｈ）の間に挿入することにより固定する。
【００３５】
図７に示すように、ケース（１）内部に芳香剤や脱臭剤などの薬剤及び／又はマイナスイオン発生物質を収納する装具（６）を備えても良い。
【００３６】
図８に示すように、ケース（１）内部にミラー（７）を装着しても良い。
【００３７】
本発明にかかるマスクは、口又は鼻のいずれかを覆うものでも良い。
【００３８】
その他、本発明のマスクは、上記した実施形態に限定されるのもではなく、本発明の要旨を逸脱しない範囲内において種々変更を加えうることは勿論である。
【００３９】
【発明の効果】
以上、説明したように、本発明にかかるマスクを使用することで、収納用のケースが散逸することがなく、また保管時にケースを密閉することができるという優れた効果を奏する。
【００４０】
その結果、カバンやポケットの中でゴミやホコリ、雑菌、花粉などのアレルギー物質が付着したり、或いはマスクが変形したりしない為、付着物による使用者の感染や、アレルギーの発症を予防したり、マスクの寿命を長くしたりする効果を奏する。
【００４１】
薬剤を使用するフィルターを用いたり、ケース内部に薬剤を付加したりする場合、ケースを密閉することによって保管時における薬剤の空気暴露を抑制できる為、薬効成分の寿命を延ばす効果が期待できる。また、密閉されたケース内部の薬効成分濃度が高くなるため、薬効成分がマスク体やフィルターに浸透することを促進する効果を奏する。
【００４２】
マスクの取り出しや収納の際に、マスク体の内側やフィルターに直接手を触れる必要がないため、衛生的である。
【００４３】
開閉自在なカバーの開閉角度を必要最低限に狭く調節することで、外部に直接露出するフィルターの投影面積を減少させることができる為、ＳＡＲＳなどの飛沫型感染の病原菌や花粉などのアレルギー物質がフィルターに直接付着する機会を低減させる効果が期待できる。
【図面の簡単な説明】
【図１】本発明の使用時の状態を示す斜視図
【図２】本発明の収納時の状態を示す斜視図
【図３】本発明の使用時の着用状態を示す図
【図４】排気弁を備えた状態を示す図
【図５】フィルターの取付方法（第１の実施形態）を示す図
【図６】フィルターの取付方法（第２の実施形態）を示す図
【図７】薬剤収納用装具を備えた状態を示す図
【図８】ミラーを備えた状態を示す図
【符号の説明】
１  ケース
１ａ  受け部
１ｅ  蓋部
１ｃ  カバー
１ｄ  カバー開閉角度調整爪
１ｅ  フィルター取り付け用受け具
１ｆ  通気孔
１ｇ  ケース（１）とマスク体（２）の接合部分の隙間
１ｈ  板状部材
２  マスク体
３  フィルター
３ａ  フィルター本体
３ｂ  フィルターケース
４  固定具
５  排気弁
５ａ  排気孔
５ｂ  弁
５ｃ  排気方向限定用蓋
６  薬剤収納用装具
６ａ  薬剤入れ
６ｂ  蓋
７  ミラー
【図１】
2005000613.tif 000003
【図２】
2005000613.tif 000004
【図３】
2005000613.tif 000005
【図４】
2005000613.tif 000006
【図５】
2005000613.tif 000007
【図６】
2005000613.tif 000008
【図７】
2005000613.tif 000009
【図８】
2005000613.tif 000010